Podtech/llm-jp-corpus-v4-ja_patent huggingface dataset:
(57)【要約】      （修正有）【課題】本考案の、プラスチック成形品ゲートカット処理装置は、主に、成形品のゲートカット面の、品質向上と、工場現場の、ニッパでの、カット作業による、肉体的負担軽減を、目的課題として、考案した、プラスチック成形品ゲートカット処理装置である。【解決手段】本考案は、成形品の、ゲートカットを、手作業ニッパによる、切断面の、問題点を、解決する為、モーター５の、高速回転を、利用して、回転軸棒４末端に、回転刃具２を取付け、前面特殊パネル１の、棒状の上部ガイド３に沿って、通し、カット処理することにより、成形品側の、切断面を、ほぼ同一面に、実現した、プラスチック成形品ゲートカット処理装置により解決。【選択図】図１
0003108839.tif 000002
【実用新案登録請求の範囲】
【請求項１】
架台上に設置した、モーターの、高速回転を利用し、回転軸棒末端に、設けた、前面特殊パネル内に、薄い回転刃具を、取付け、固定し、その前面特殊パネルの、任意位置設定後、プラスチック成形品のゲートを、一部、隙間を設け、突き出た２本の、棒状の上部ガイドに、沿って、通すと、回転刃具に、接触、カットが、できる、特徴を持つ、ゲートカット装置である。
【考案の詳細な説明】
【技術分野】
【０００１】本考案は、プラスチック成形品のゲート処理を、回転刃具に、よりカットする装置である。
【背景技術】
【０００２】中小企業のプラスチック成形工場現場で、成形製品の、ゲート処理作業工程はニッパでカットしているのが現状である。
【考案の開示】
【考案が解決しようとする課題】
【０００３】本考案は、プラスチック成形工場での、成形製品の、ゲートカットが、ニッパでカットすることによる、カット面の不ぞろい、亀裂、バリの残り等の不良品発生を打破し、ニッパ作業による、肉体的負担，手首の痛み、腱鞘炎等を解決に導くことにより，作業性向上，品質向上，製品管理、経費削減，労働時間短縮等に貢献するものである。
【課題を解決するための手段】
【０００４】本考案の、プラスチック成形品ゲートカット処理装置は、モーターの高速回転を利用し、回転軸棒末端に設けた、上部ガイド付、前面特殊パネル内に、薄い回転刃具を、取付け、固定し、そのパネルの変位作動により、任意位置設定ができ、プラスチック成形品と、ゲートを任意の部位に、前面特殊パネルの上部ガイドを通して、回転刃具による、ゲートカットが、安全にでき、作業による、肉体的負担、品質向上，製品管理、経費削減、作業性向上等の問題点を克服する手段として、最適な装置である
【考案の効果】
【０００５】中小企業の、現状認識としては  少量多品種，品質維持、管理と向上に、対応し、納期厳守と、コストダウンは、常に要求課題であります、プラスチック成形工場に置きましても、成形品のゲートカットは、手作業による従業員、パート，アルバイトの方々が、ニッパで、カットしている為、この、プラスチック成形品ゲートカット処理装置を、使用することにより、不良率の低減，作業上の肉体的負担，手首の痛み，腱鞘炎等の緩和，作業性向上，品質向上，製品管理，経費削減，労働時間短縮等に、貢献し効果が、期待できます。
【考案の実施するための最良の形態】
【０００６】本考案の、プラスチック成形品ゲートカット処理装置の、スイッチを起動させ、モーターの高速回転を、回転軸棒末端の、前面特殊パネルのガイドに、沿って上から下へ、通して、回転刃具に、接触、切断され、成形製品と、ゲートの、分断作業が、完了する。
【実施例】
【０００７】以下，添付図面に従って、一実施例を説明する。６のスイッチを起動させて５の、モーターの、高速回転を通じて４の、回転軸棒末端、１の、前面特殊パネル内の薄い、２の、回転刃具の上の、３、ガイドに沿って上から下へ通し回転刃具に、接触カットされ、成形品側とゲート側の、分断作業が、簡単にできる。
【産業上の利用可能性】
【０００８】日常生活の、あらゆる分野で、プラスチック製品は、活躍し、その需要を、満たす企業も、多種多様に存在する中，中小企業での、成形品のゲート処理は、従業員、パート，アルバイトの方々の、手作業による、ニッパでカットが、現状である為，このプラスチック成形品ゲートカット処理装置を、利用することで、肉体的負担軽減，作業性向上，品質向上，製品管理，経費削減，労働時間短縮等に、貢献することが、期待でき、製造業，特にプラスチック成形分野での、利用可能性が大である。
【図面の簡単な説明】
【０００９】
【図１】本考案の、プラスチック成形品ゲートカット処理装置の、一実施例を示す、全体図である。
【符号の説明】
【００１０】１  前面特殊パネル
２  回転刃具
３  ガイド
４  回転軸棒
５  モーター
６  スイッチ
７  ベース台
８  ゴム足
【図１】
0003108839.tif 000003
(57)【要約】      （修正有）【課題】ハリス付き釣り針の２本が絡み合うことが少なく，投げ釣りが容易に出来，１度に，２匹釣れる，魚釣り天秤を提供する。【解決手段】釣り糸とハリスの間に，細いプラスチック弁の材質で作ったＹ字型の天秤を付け，この部位の左右，２本のハリス付き釣針を付ける。【選択図】図２
0003108838.tif 000002
【実用新案登録請求の範囲】
【請求項１】
細いプラスチック等の材質でＹ型の天秤です，Ｙ型の先端に２本のハリス付き釣針を付けて釣りをする天秤です。
【請求項２】
細いプラスチック又は鋼材で軽く，しなやかな材質でＹ型の為，２本の釣針が絡み合う事が無く，投げ釣りして釣りをする天秤です。
【考案の詳細な説明】
【考案の詳細な説明】
（考案の属する技術分野）
【０００１】本考案は、天秤に２本のハリス付き釣針付ける天秤です。（従来の技術）
【０００２】Ｙ型（２本の針を分離）でないと，２本の釣針を付けても絡み合うので，投げ釣りが出来なかったのです。（課題を解決する手段）
【０００３】Ｙ型の部位で２本のハリス付き釣針の間隔を広げる為，互いの釣針が絡み合う事を解消するのです。（実施例）以下，本考案の実施例を図面に基づいて説明する。
【０００４】図１  本天秤の太さ直径約２ｍｍ．重さ約３ｇの図面です。Ｙ型の部位，２カ所の穴２にハリスを結び，上部の穴２は，釣り糸を付けます，途中にサルカンを付けます，絡みが少なくなります。（考案の効果）
【０００５】図面の図１の天秤に２本のハリス付き釣り針を付ける為，１度に２匹の魚が釣れるのです，餌を２カ所に付ける為に釣り針１本よりも餌を取られ難いのです，１本釣りに，不満の有る人には，此の天秤を使用する事で，２匹釣れるので楽しいです。
【図面の簡単な説明】
【図１】本発明の，本体の平面図で在ります。
【図２】本発明の，その使用状態を説明する斜視図で在ります。
【符号の説明】
１  天秤本体（太さ．長さ．角度の図面です）２  小さな穴（サルカン．ハリス糸の通し穴です）３  三方の接合部分（約１２０角度．盛り上げ．強度を付けます）４  サルカン（回転防止の器具です）５  釣り糸６  ハリス７  釣針
【図１】
0003108838.tif 000003
【図２】
0003108838.tif 000004
(57)【要約】【課題】  人物や動物といった自分が気に入った図柄模様を肌に接して一心同体的に保持できる下着を提供する。【解決手段】  肌に接する裏面に、人物、風景、動物、キャラクターといった図柄模様をプリント、刺繍又は織成してある下着。【選択図】  図１
0003108869.tif 000002
【実用新案登録請求の範囲】
【請求項１】
肌に接する裏面に、人物、風景、動物、キャラクターといった図柄模様をプリント、刺繍又は織成してある下着。
【請求項２】
図柄模様が表面には表われないものである請求項１の下着。
【考案の詳細な説明】
【技術分野】
【０００１】
本考案は、肌に直接接する下着に関するものである。
【背景技術】
【０００２】
下着においても、模様のある生地を用いたものは存在する。また、表面に特定の図柄模様をプリント又は織成したものも存在する。このような模様又は図柄模様は、デザイン性を考慮したものであるが、原則として人に見て貰うためのものである。
【考案の開示】
【考案が解決しようとする課題】
【０００３】
本考案は、特定の図柄を自分だけが独占し、しかも、これを肌に付けて持つ感覚を充足させたものであり、下着（肌着）の裏面にのみ、その図柄をプリント又は織成した下着（肌着）を提供したものである。
【課題を解決するための手段】
【０００４】
以上の課題の下、本考案は、請求項１に記した、肌に接する裏面に、人物、風景、動物、キャラクターといった図柄模様をプリント、刺繍又は織成してある下着を提供する。これにおいて、請求項２に記したように、図柄模様は、表面に表われないものが適する。
【考案の効果】
【０００５】
以上の下着を着用すると、当該図柄を自分だけが秘密裏に独占した気分になる。加えて、肌に密着して一心同体となって保持することができ、マニアックな気分も充足する。この点で、この図柄模様は、請求項２に記したように、表面に表われないものが適する。なお、ここでの図柄模様としては、好きな俳優や恋人、気に入っているキャラクター或いは愛玩している動物、印象に残っている風景といったものがある。
【考案を実施するための最良の形態】
【０００６】
以下、本考案の実施の形態を図面を参照して説明する。図１、図２は女性用のブラジャー１とショーツ２の斜視図であるが、これらの裏面に特定の図柄模様３をプリント、刺繍又は織成するのである。これにおいて、模様入れは、プリントが基準であるが、刺繍や織成であってもよい。そして、この図柄模様３は外からは見えないように付するのが好ましい。自分だけが独占し、常に一緒にいる気分にするためである。
【０００７】
この場合の、下着については上記したものに限らない。肌に接するものであれば、何でもよい。また、女性用に限られるものではなく、男性用であってもよいし、幼児や小児用であってもよい。さらに、図柄模様３を入れる個所は任意であり、何処であってもよいが、常に肌に密着する個所が適する。
【図面の簡単な説明】
【０００８】
【図１】本考案が適用される下着の斜視図である。
【図２】本考案が適用される下着の斜視図である。
【符号の説明】
【０００９】
１    ブラジャー
２    ショーツ
３    図柄模様
【図１】
0003108869.tif 000003
【図２】
0003108869.tif 000004
(57)【要約】【課題】  原版フィルムをキズ、レジストの転写から保護でき、位置ずれ、寸法変化を起こさない露光用フォトマスクを提供すること。【解決手段】  透明板１と、前記透明板の所定位置に載置された原版フィルム２と、前記原版フィルムを仮止めする粘着テープ３と、前記原版フィルムを覆う表面保護フィルム４と、をそなえた露光用フォトマスク。【選択図】  図１
0003108865.tif 000002
【実用新案登録請求の範囲】
【請求項１】
透明板と、
前記透明板の所定位置に載置された原版フィルムと、
前記原版フィルムを仮止めする粘着テープと、
前記原版フィルムを覆う表面保護フィルムと、
をそなえた露光用フォトマスク。
【請求項２】
請求項1記載の露光用フォトマスクにおいて、
前記透明板は、ガラス製である露光用フォトマスク。
【請求項３】
請求項1記載の露光用フォトマスクにおいて、
前記透明板は、アクリル製である露光用フォトマスク。
【請求項４】
請求項１記載の露光用フォトマスクにおいて、
前記表面保護フィルムは、自己接着性を有するものである露光用フォトマスク。
【請求項５】
請求項１記載の露光用フォトマスクにおいて、
前記表面保護フィルムは、防湿性および低伸張性を有するものである露光用フォトマスク。
【考案の詳細な説明】
【技術分野】
【０００１】
本考案は、露光用フォトマスクに係わり、とくに電子機器の回路に使用されるプリント基板をエッチングするためのフォトレジスト等を露光する露光用フォトマスクに関する。
【背景技術】
【０００２】
プリント基板の製造工程には、エッチングレジスト、ソルダーレジストを露光する工程があり、露光機により露光処理が行われる(特許文献１，２および３)。
【０００３】
これらの文献に開示されている露光用フォトマスクは、フィルム枠に原版フィルムを粘着テープ等で貼付して使用している。また、特許文献４には、ガラス面に原版フィルムを両面テープで固定したものが示されている。
【０００４】
これらは、何れも原版フィルムをプリント基板に密着させて露光するため、原版フィルムとプリント基板とが擦れ合って原版フィルムにキズができる問題、エッチングレジストやソルダーレジストがフィルムに転写される問題を生じている。
【０００５】
その解決策として、特許文献５に示されるような表面保護フィルムを原版フィルムに貼り合わせることが行われている。
【０００６】
しかし、フィルム枠やガラス面に原版フィルムをテープ等で固定するだけでは原版フィルムが位置ずれしたり、露光作業を繰り返していくと原版フィルムの寸法変化を起こしたり、するという問題がある。
【０００７】
この対策として、特許文献６に記載の、クロム薄膜が蒸着された回路パターンを有するガラスマスクを使用することが行われている。
【０００８】
しかし、ガラスマスクは高価である点が問題となる。露光マスクをいくつか用意するとき、価格が問題となる。すなわち、プリント基板の製作過程で材料を積層したりスルーホールメッキを施したりする工程があり、これらの工程で基板自体が寸法変化を起こすことがあり、しかも製作ロット毎にこの寸法変化の度合が異なることもある。この寸法変化に対応するには、各種の補正率を有する補正マスクをいくつか準備することになり、高価で工期の長いガラスマスクでは対応し切れない。
【特許文献１】特開平3-107949号公報
【特許文献２】特開平4-107464号公報
【特許文献３】特開平5-281754号公報
【特許文献４】特開平5-216215号公報
【特許文献５】特開平11-7121号公報
【特許文献６】特開昭62-55654号公報
【考案の開示】
【考案が解決しようとする課題】
【０００９】
本考案は上述の点を考慮してなされたもので、原版フィルムをキズ、レジストの転写から保護でき、位置ずれ、寸法変化を起こさない露光用フォトマスクを提供することを目的とする。
【課題を解決するための手段】
【００１０】
上記目的達成のため、本考案では、
透明板と、この透明板の所定位置に載置された原版フィルムと、この原版フィルムを仮止めする粘着テープと、前記原版フィルムを覆う表面保護フィルムと、をそなえた露光用フォトマスク、
を提供するものである。
【考案の効果】
【００１１】
本考案は上述のように、透明板上に原版フィルムを粘着テープで仮止めした上で表面保護フィルムによって覆うようにしたため、原版フィルムにキズが付いたり、レジストの転写が付いたりすることがなく、また位置ずれ、寸法変化も防止できる。
【考案を実施するための最良の形態】
【００１２】
以下、添付図面を参照して本考案の実施例を説明する。
【実施例１】
【００１３】
図１は、本考案の実施例１の側面図であり、図２は同じく平面図である。これらの図に示すように、透明板１上に原版フィルム２を載置し、粘着テープ３で少なくとも４隅を仮止めする。
【００１４】
そして、仮止めした原版フィルム２を、粘着テープ３を含めて覆い尽くすように、透明板１に表面保護フィルム４を載せて、表面保護フィルム４の自己粘着性により透明板１にできるだけ密着させて貼付する。
【００１５】
この結果、透明板１の所定位置にセットされた原版フィルム２が、表面保護フィルム４によって透明板１上に確実に保持された状態となる。表面保護フィルム４は、解像度を低下させない透明なプラスチックフィルムであれば、種々のものを利用でき、防湿性をそなえることが望ましい。例えば、キモテクト(登録商標)が適当である。厚みは、取り扱い性も考慮して４−１５μm程度が好ましい。そして、表面保護フィルムを貼り合わせる方法も、種々の方法を使用できるがロールラミネート法が好ましい。
【００１６】
透明板１は、透光性の良好なガラス、アクリル板が好ましく、また厚みは解像度を損なわないために薄い方が好ましく、取り扱い性も考慮すると２−５mm程度が望ましい。
【００１７】
そして、透明板１の中央に原版フィルム２が固定され、原版フィルム２の内側にセットされるプリント基板５に露光を行う。
【００１８】
本考案の露光用フォトマスクは、上述のように構成することにより、クロム薄膜により形成されたガラスマスクと比べて、安価な材料で製造することができる。
【図面の簡単な説明】
【００１９】
【図１】本考案の実施例１の構成を示す側面図。
【図２】図１の実施例１の平面図。
【符号の説明】
【００２０】
１  透明板、２  原版フィルム、３  粘着テープ、４  表面保護フィルム、
５  プリント基板。
【図１】
0003108865.tif 000003
【図２】
0003108865.tif 000004
(57)【要約】【課題】  多数枚のカード類を、それぞれのカード類を容易に識別することができ、しかも、スリムに収納することができる財布を提供すること。【解決手段】  一方の側面部（１ａ）から上面部（１ｂ）を経て他方の側面部（１ｃ）にかけてファスナー（２）を設け、ファスナー（２）の開閉により見開きが自在な本体（１）の内部に、複数個のポケット（３）が蛇腹状に伸縮可能なように連接されてなる財布であって、複数個のポケット（３）の少なくとも１つが、蛇腹状に伸縮可能なように連接された複数個の小ポケット（４）からなり、それぞれの小ポケット（４）は、複数枚のカード類が、１枚ずつ縦長に差し込まれ、かつ、差し込まれた隣り合うカード類が一部重なり合うように収納されるための仕切り部材（５）を対向壁間に有してなることを特徴とする。【選択図】  図１
0003108879.tif 000002
【実用新案登録請求の範囲】
【請求項１】
一方の側面部（１ａ）から上面部（１ｂ）を経て他方の側面部（１ｃ）にかけてファスナー（２）を設け、ファスナー（２）の開閉により見開きが自在な本体（１）の内部に、複数個のポケット（３）が蛇腹状に伸縮可能なように連接されてなる財布であって、複数個のポケット（３）の少なくとも１つが、蛇腹状に伸縮可能なように連接された複数個の小ポケット（４）からなり、それぞれの小ポケット（４）は、複数枚のカード類が、１枚ずつ縦長に差し込まれ、かつ、差し込まれた隣り合うカード類が一部重なり合うように収納されるための仕切り部材（５）を対向壁間に有してなることを特徴とする財布。
【考案の詳細な説明】
【技術分野】
【０００１】
本考案は、多数枚のカードや名刺など（以下「カード類」とする）を、それぞれのカード類を容易に識別することができ、しかも、スリムに収納することができる財布に関する。
【背景技術】
【０００２】
今日のカード社会において、カード類収納ポケットを備えた財布は、非常に便利であることは誰もが認めるところである。現在、商品化されているカード類収納ポケットを備えた財布の多くは、例えば、図４に示した財布のように、長方形状のカード類を横長に差し込んで収納するものである。このような財布は、収納することができるカード類がせいぜい５枚程度であるので、カード類をあまり持ち歩かない者にとっては何の不満もないが、多数枚のカード類を持ち歩きたい者にとっては不便である。そこで、より多くのカード類を収納することができる財布の商品化が待ち望まれているが、たとえ、多数枚のカード類を収納することができる財布であっても、財布に収納した多数枚のカード類の中から目的のカード類を見つけるのに時間を要したり、多数枚のカード類を収納したことで財布が膨れ上がるなどして体裁が悪くなったりしたのでは、万人に受け入れられる財布とは言えない。
【考案の開示】
【考案が解決しようとする課題】
【０００３】
そこで本考案は、多数枚のカード類を、それぞれのカード類を容易に識別することができ、しかも、スリムに収納することができる財布を提供することを目的とする。
【課題を解決するための手段】
【０００４】
上記の点に鑑みてなされた本考案の財布は、請求項１記載の通り、一方の側面部（１ａ）から上面部（１ｂ）を経て他方の側面部（１ｃ）にかけてファスナー（２）を設け、ファスナー（２）の開閉により見開きが自在な本体（１）の内部に、複数個のポケット（３）が蛇腹状に伸縮可能なように連接されてなる財布であって、複数個のポケット（３）の少なくとも１つが、蛇腹状に伸縮可能なように連接された複数個の小ポケット（４）からなり、それぞれの小ポケット（４）は、複数枚のカード類が、１枚ずつ縦長に差し込まれ、かつ、差し込まれた隣り合うカード類が一部重なり合うように収納されるための仕切り部材（５）を対向壁間に有してなることを特徴とする。
【考案の効果】
【０００５】
本考案によれば、多数枚のカード類を、それぞれのカード類を容易に識別することができ、しかも、スリムに収納することができる財布が提供される。
【考案を実施するための最良の形態】
【０００６】
以下、本考案を、図面を参酌しながら詳しく説明するが、本考案は、以下の記載に何ら限定して解釈されるべきものではない。
【０００７】
図１は、本考案の財布の一例の全体斜視図である。この財布は、一方の側面部１ａから上面部１ｂを経て他方の側面部１ｃにかけてファスナー２を設け、ファスナー２の開閉により見開きが自在な本体１の内部に、５つのポケット３が蛇腹状に伸縮可能なように連接されてなる構造を基本とする。そして、５つのポケット３の１つが、蛇腹状に伸縮可能なように連接された４つの小ポケット４からなり、それぞれの小ポケット４は、５枚のカード類が、１枚ずつ縦長に差し込まれ、かつ、差し込まれた隣り合うカード類が一部重なり合うように収納されるための４つの仕切り部材５を対向壁間に有してなる。
【０００８】
図２は、図１で示した財布の部分平面斜視図である。カード類を収納するためのポケット３は、４つの小ポケット４からなり、それぞれの小ポケット４には、５枚のカード類を収納するための４つの仕切り部材５が、カード類が、１枚ずつ縦長に差し込まれ、かつ、差し込まれた隣り合うカード類が一部重なり合うように収納されるように設けられている。
【０００９】
図３は、図１で示した財布へのカード類の収納方法と、収納されたカードの状態を示す部分斜視図である。多数枚のカード類を収納しても、財布の体裁をスリムに維持するためには、仕切り部材５は、差し込まれた隣り合うカード類の重なり合う面積が、１枚のカード類の面積の１／２以下になるように設けられることが望ましい。また、収納されたそれぞれのカード類を容易に識別することができるように、小ポケット４の上端高さは、カード類の長辺よりも低くすることが望ましい。
【００１０】
なお、図１で示した財布は、５つのポケット３の１つを、小銭などのばらつくものを収納するためのファスナー付ポケット６とし、本体内壁に小物収納ポケット７を設けたものであるが、このような構成は、使用者の利用の便を念頭に置いて適宜選択されるものである。
【産業上の利用可能性】
【００１１】
本考案は、多数枚のカード類を、それぞれのカード類を容易に識別することができ、しかも、スリムに収納することができる財布を提供することができる点において産業上の利用可能性を有する。
【図面の簡単な説明】
【００１２】
【図１】本考案の財布の一例の全体斜視図である。
【図２】図１で示した財布の部分平面斜視図である。
【図３】図１で示した財布へのカード類の収納方法と、収納されたカードの状態を示す部分斜視図である。
【図４】従来のカード類収納ポケットを備えた財布の一例の斜視図である。
【符号の説明】
【００１３】
１    財布本体
１ａ  一方の側面部
１ｂ  上面部
１ｃ  他方の側面部
２    ファスナー
３    ポケット
４    小ポケット
５    仕切り部材
６    ファスナー付ポケット
７    小物収納ポケット
【図１】
0003108879.tif 000003
【図２】
0003108879.tif 000004
【図３】
0003108879.tif 000005
【図４】
0003108879.tif 000006
(57)【要約】〔目的〕半導体基板上に形成された微細パターンを走査電子顕微鏡で観察する時に、半導体基板を走査電子顕微鏡で観察可能な大きさに劈開する事を目的とした装置を提供する。〔構成〕第１図は、試料５を固定する試料載せ台３とダイヤモンドカッター２超音波振動装置４及び試料５に形成された微細パターンを観察する光学顕微鏡１で構成され、光学顕微鏡１とＣＣＤカメラ１０による表示画面のカーソル交点とダイヤモンドカッター２の位置を予め合わせておき、光学顕微鏡１で観察された劈開位置をダイヤモンドカッター２で試料裏面よりけがき、そのけがき線に超音波振動装置４を接触させ超音波振動装置４から発せられる高速振動によってけがき線の位置で正確に試料５を劈開する装置。〔選択図）0003108657.tif 000002
【実用新案登録請求の範囲】
【請求項１】
シリコン半導体基板のような試料の表面を、光学顕微鏡やＣＣＤカメラで観察しながら任意に移動可能なステージに装着され、前記試料の裏面に適当な圧力で接触した状態で移動することによりけがき線を形成することのできるダイヤモンドカッターと、前記描かれたけがき線で正確に劈開するために、前記ダイヤモンドカッターをけがき線の位置に接触固定した状態で該ダイヤモンドカッターに超音波振動を与える超音波振動装置とを具備することを特徴とする超音波振動装置を用いた走査電子顕微鏡用試料作成装置
【考案の詳細な説明】
【考案の詳細な説明】
【０００１】〔産業上の利用分野〕本考案は、シリコン半導体基板上に作成された微細パターンを走査電子顕微鏡で観察する場合、半導体基板を走査電子顕微鏡で観察可能なサイズに試料を劈開する試料作成装置に関する。
【０００２】〔従来技術〕シリコン半導体のような試料上に作成された微細パターンを走査電子顕微で観察し、半導体製造工程や半導体製造装置の条件だしを行うことが広く一般的に行われている。特に、微細パターンの断面を観察することは半導体製造工程条件を決定する大きな要因となっているが、近年半導体のパターンが極微細になってきていることから、微細パターンを観察する手段として超高分解能の走査電子顕微鏡が必要になってきている。ところが、一般的に超高分解能」走査電子顕微鏡の試料サイズには厳しい制約が設けられている。一般的に超高分解能走査電子顕微鏡の観察可能試料サイズは約４ミリメートルＸ７ミリメートル程度であるため、露光装置で描画される試料サイズ２０ミリメートルＸ２０ミリメートルや、ウェーハから超高分解能走査電子顕微鏡に適応する試料サイズに劈開する必要がある。従来は、第１図に示す通りシリコン半導体などの試料５は単結晶で硬度が高いためそれを劈開するには、ダイヤモンドカッター２などで試料５の表面（多くの場合、裏面）にけがき線７を入れる。その後、試料５を試料載せ台３に置きスライドグラス９又は、ピンセットのような道具で試料５の先端を押し試料を劈開する。このような作業を繰り返し超高分解能走査電子顕微鏡による観察に適応するような大きさにシリコンなどの半導体基板を劈開し、微細パターン観察を行っていた。
【０００３】〔考案で解決しようとする課題〕半導体基板のような試料の劈開を行うには、劈開する位置にダイヤモンドカッターでけがき線を入れ、その位置で割っていたが、基板を割る際、しばしばけがき線とは異なる位置で基板が割れることがあり、時にはパターン自身を壊してしまう事もあり、又劈開する際に生じる破断クズなど劈開面が汚れるという問題があった。更に、半導体基板のような試料を走査電子顕微鏡の試料台のサイズに劈開することは非常に困難で熟練を要する作業となっている。本考案は、前記のような問題を解決し半導体基板のような試料の劈開位置を正確に、かつ容易に劈開することのできる装置を提供しようとするものである。
【０００４】〔課題を解決するための手段〕第２図は本装置の構成図の一例である。本装置は、光学顕微鏡１、ダイヤモンドカッター２、試料載せ台３、超音波振動装置４からなる。光学顕微鏡１、ダイヤモンドカッター２及び、超音波振動装置４は共通の台に組み込まれ劈開システムとしてステージ８上に設置され、任意にスライドできるようになっている。劈開システムの光学顕微鏡１の像を見ながら試料５表面上の劈開位置決めを行った後、試料５の裏面を適当な圧力で接しながらダイヤモンドカッター２が移動しで試料５の裏面にきがき線を入れられるようになっている。試料５をけがいた後超音波振動装置４が試料５の裏面よりけがき線に向かって移動し、超音波振動装置４の先端がけがき線の任意の一部に精度良く接触し、超音波振動を与えるようになっている。試料５は、試料載せ台３上に固定されている。
【０００５】〔作用〕光学顕微鏡１で試料５を観察しながらけがこうとする位置を決めた後に、ダイヤモンドカッター２を試料５の裏面に適当な圧力で接触させながらけがき線を入れた後に、けがき線の任意の位置にダイヤモンドカッター２を適当な圧力で接触させた状態で超音波振動装置４により超音波振動を与えるけがき線にマイクロスクラッチを発生させることにより試料５をけがき線どおり正確に劈開させることができる。更に、裏面からけがき線にスクラッチを与えるので劈開の際に生ずる破断片などによる汚染などがない状態で走査電子顕微鏡による観察可能な試料を作成することができる。
【０００６】〔実施例〕第３図は本装置の動作を示す。まず、試料５を試料載せ台３に固定する。軸合わせをした光学顕微鏡１、ダイヤモンドカッター２、と超音波振動装置４を組み込んだ劈開システムを移動ノブ６により光学顕微鏡１に取り付けられたＣＣＤカメラ１０等からの画像をモニター１１で見ながら劈開位置へ移動する。劈開位置に移動後、劈開システムを固定する。次に第４図に示すダイヤモンドカッター２を試料５の裏面に当てダイヤモンドカッター２を移動することでけがき線７を入れる。けがき線７を入れた後、第５図に示すけがき線７に超音波振動装置４を当てる。超音波振動装置４はけがき線７に対し垂直に高速で振動を与えるため、試料５はけがき線７の位置で正確に劈開される。
【０００７】〔考案の効果〕１  半導体基板などの単結品で硬質な素材の試料を劈開する場合、劈開したい位置をけがいた通り正確に劈開できるようになった。２  光学顕微鏡１、ダイヤモンドカッター２、及び超音波振動装置４を一体化して劈開する事で今まで必要とされていたけがき線の位置合わせ等の高度な熟練が必要なくなった。３  試料の裏面からけがき、裏面から超音波振動でけがき線にスクラッチを与え劈開するので、試料を劈開する際生じる破断片などによる汚染の影響を受けることなく走査電子顕微鏡観察用試料を作成することができる。
【図面の簡単な説明】〔第１図〕従来技術による半導体劈開の方法を示す説明図〔第２図〕本考案の構成を示す図〔第３図〕本考案による実施例を示す図〔第４図〕本考案の動作説明のための図〔第５図〕本考案の動作説明のための図
【符号の説明】
１  光学顕微鏡  ２  ダイヤモンドカッター  ３  試料載せ台  ４  超音波振動装置  ５  試料  ６  移動ノブ  ７  けがき線  ８  レール  ９  スライドグラス１０  ＣＣＤカメラ１１  モニター
【図１】
0003108657.tif 000003
【図２】
0003108657.tif 000004
【図３】
0003108657.tif 000005
【図４】
0003108657.tif 000006
【図５】
0003108657.tif 000007
(57)【要約】【課題】  雨による降水からポケットに収納した物を濡らさない簡易防水ポケットを提供したい。【解決手段】  作業着等の胸ポケット等の蓋となるカバーとポケット全体を雨水を浸透させないビニール等の素材を使用したポケットもしくは、撥水加工を施した素材によるポケットを提供。又、ポケットの中の一部分だけでも良く、ポケットの中にもう一つ防水加工、もしくは撥水加工を施した素材によるポケットを提供しても良い。更に、ポケットの底部のみ、もしくは、内面で体に当たる部分を通気性のある素材にする事で、ポケット内を蒸れから防止した。【選択図】図１
0003108652.tif 000002
【実用新案登録請求の範囲】
【請求項１】
簡易防水ポケット
【考案の詳細な説明】
【技術分野】
【０００１】  Ａ４１Ｄ  ２７／２０
【背景技術】
【０００２】  雨による降水からポケットに収納した物を守る為の簡易防水が施された作業着等のポケットが無かった。
【考案の開示】
【考案が解決しようとする課題】
【０００３】  雨による降水からポケットに収納した物を濡らさない簡易防水ポケットを提供したい。
【発明を解決するための手段】
【０００４】  作業着等の胸ポケット等の蓋となるカバーとポケット全体を雨水を浸透させないビニール等の素材を使用したポケットもしくは、撥水加工を施した素材によるポケットを提供した。又、ポケットの中の一部分だけでも良く、ポケットの中にもう一つ防水加工、もしくは、撥水加工を施した素材によるポケットを提供しても良い。更にポケットの底部のみ、もしくは、内側で体に当たる部分を通気性のある素材にする事で、ポケット内を蒸れから防止した。
【発明の効果】
【０００５】  本発明の効果により雨による降水からポケットに収納した携帯電話、タバコ等を守る事に成功した
【発明を実施する為の最良の形態】
【０００６】  作業着等の胸ポケット等の蓋となるカバーとポケット外周を防水にする為のビニール等で構成し表面に通常の素材をカバーした、もしくは、撥水加工された素材で構成した。更に底部となる下部や内側となる体に当たる部分を通気性のある素材で構成する事で通気性を提供。又、本考案  簡易防水ポケットは、ポケットの中の携帯電話を入れる部分、タバコ、ライターを入れる部分のみの、簡易防水構成でも良いしポケットの中にもう一つ防水加工を施したポケットもしくは、撥水加工を施した素材によるポケットを構成しても良い。
【実施例】
【０００７】  作業着等の胸ポケットの携帯電話等を収納する一部分の外周とポケットの蓋となるカバー部分を防水となる素材、ビニール等や撥水加工された素材で構成、ポケットの下部と体に当たる部分の内側を通気性のある素材で構成した。
【産業上の利用可能性】
【０００８】  作業時等に不意の雨による降水からポケットの中の携帯電話やタバコ、ライター等を雨水から守る事を可能にした為、大変便利である。
【図面の簡単な説明】
【０００９】
【図１】  本考案の簡易防水ポケットの斜面図である。
【図２】  本考案の簡易防水ポケットの正面図である。
【図３】  本考案の簡易防水ポケットの側面断面図である。
【符号の説明】
【００１０】１  防水加工されたポケットの蓋である。
２  防水加工されたポケットである。
３  防水加工されないポケットの内側、内面である。
【図１】
0003108652.tif 000003
【図２】
0003108652.tif 000004
【図３】
0003108652.tif 000005
(57)【要約】【課題】従来の日よけは車種によってフロントガラスの寸法が違う為に取付出来る車種が限られ、個人で取付する事が非常に困難であり、取付用に穴を開けると車が痛み、吸盤の取付は熱で膨張し外れ落ちたりすると言う欠点があった。【解決手段】このスライドロール日よけは巾をスライド調節出来、軽乗用車から大型乗用車迄ダッシュボード上に直線的なスペースが有り取付可能な溝が有ればほとんどの乗用車に個人でも簡単に取付可能である。また、使用時も吸盤等使用せずにルームミラーの取付金具に引っ掛けるだけなので、外れ落ちる事が無く使用、不使用時の上げ下げが簡単である。【選択図】図３
0003108656.tif 000002
【実用新案登録請求の範囲】
【請求項１】
自動車フロントガラス日よけ自体を２分割にする事によって全体の巾をスライド調節出来、軽乗用車から大型乗用車迄ダッシュボード上に直線的なスペースが有り取付用にダッシュボード上左右側に内装の溝が有れば、取付可能である。
取付は、ダッシュボード上の内装の溝に刺し込むだけで簡単である。
不使用時は、巻き取り式ロールシートなので置き場所に困らず、使用時はルームミラーの取付金具に引掛けるだけなので、誰でも簡単に使用できる。
【考案の詳細な説明】
【技術分野】
【０００１】本考案は車内の温度上昇を温和する為のフロント部日よけに関するものである。
【背景技術】
【０００２】日よけ巾寸法が固定で個人により取付出来ない又は困難であった。
【考案の開示】
【考案が解決しようとする課題】
【０００３】日よけ巾寸法が１定の為各１車ずつ違う寸法巾の日よけが必要で有り、取付も吸盤等で、落ちたりして日よけの効果があまり得られなかった。
【課題を解決するための手段】
【０００４】日よけ自体を２分割にし、巾をスライド調節出来、既製品でほとんどの軽乗用車から大型乗用車迄取付出来る様、そして使用方法もルームミラーの取付金具に引掛けるだけで、落ちたりする事がしにくい前述の欠点を解決しようとするものである。
【考案の効果】
【０００５】上述の様に、本考案のスライドロール日よけは、ほとんどの軽乗用車から大型乗用車に取付可能であり、取付も個人で出来、使用、不使用も簡単で、使用時落ちにくく、収納もロール巻取り式で容易である。
【考案を実施するための最良の形態】
【０００６】この日よけは、巾がスライド出来る事によって同じ製品で、ほとんどの軽乗用車から大型乗用車迄個人が簡単に取付出来、使用、不使用も簡単で、駐車車内の温度上昇温和に効果がある。
【実施例】
【０００７】以下、添付図面に従い実施例を説明する。▲１▼は車内から見て左側、▲２▼は車内から見て右側、▲３▼は上部で▲１▼と▲２▼を繋ぎ巾調節可能、本体と上部の巾をフロントガラスのサイズに合わせ、ダッシュボードの上に取付る。
本体自体はプラスチック製、シートはアルミ箔合成シート、上部▲３▼はプラスチック製とし、取付金具はステンレス製とする。【０００８】▲１▼の円筒部は、▲２▼の円筒部より細く▲１▼のシートが入る様溝切してある▲１▼の円筒部を▲２▼の円筒部に差込んで、車内ダッシュボード上内装溝に入る様巾調節をし、取付金具を内装溝に差込取付する。
【産業上の利用可能性】
【０００９】
【図面の簡単な説明】
【００１０】
【図１】スライドロール日よけ自体の分割正面図である。
【図２】スライドロール日よけ自体の分割側面図である。
【図３】自動車に取付使用中の平面図である。
【符号の説明】
【００１１】１  車内から見て右側
２  車内から見て左側
３  使用時引っ掛ける上部
４  取付金具
【図１】
0003108656.tif 000003
【図２】
0003108656.tif 000004
【図３】
0003108656.tif 000005
【手続補正書】
【提出日】平成16年8月30日(2004.8.30)
【手続補正１】
【補正対象書類名】実用新案登録請求の範囲
【補正対象項目名】全文
【補正方法】変更
【補正の内容】
【実用新案登録請求の範囲】
【請求項１】
・自動車フロントガラス巾の日よけ自体の巾を２分割にする事によって、全体の巾をスラド調節出来、巻き取り式ロールシートでダッシュボード上で収納、使用時はルームミラーの取付金具に引掛ける以上の構成からなることを特徴とするスライドロール日よけ
(57)【要約】      （修正有）【課題】作業する時腰に負担が掛からず他の器具でも簡単に利用出来るＳ字型万能長柄を提供する。【解決手段】軽くて丈夫で加工し易い素材のアルミニューム、スチール、ステンレス、プラスチック等のパイプを使用してＳ字型の曲がりと接続ジョイント（イ、ロ）を付ける事により楽な姿勢で作業が出来、安く製造出来、他の器具も使用可能な万能長柄として利用出来る。【選択図】図４
0003108660.tif 000002
【実用新案登録請求の範囲】
【請求項１】
Ｓ字型長柄にジョイントを接続し各種器具等が簡単に取り換えが出来、楽な姿勢で作業が出来る様に考案した万能長柄。
【考案の詳細な説明】
【考案の詳細な説明】
【考案が解決しようとする課題】
【０００１】  従来のデッキブラシでの清掃作業は腰を曲げての作業の為、大浴場、プール等での長作業をすると、どうしても腰に負担が掛かり腰を痛めてしまう難点がある。又、タイルやコンクリート等、硬い物を清掃するのでブラシの部分は摩耗が激しい。
【課題を解決する為の手段】
【０００２】  上記目的を達成する為、丈夫で加工し易い（アルミニューム、スチール、ステンレス、プラスチック等の）パイプ管を使用し、柄の上部にＳ字型の曲がりを作り、又、下部には器具との接続ジョイントを作る事を考案した。
【考案の効果】
【０００３】  柄にＳ字型の曲がりを付けた事により、作業する際人間の腰の曲がりを長柄のＳ字型がカバーしてくれるので楽に仕事が出来る様になった。又、接続ジョイントを付けた事により他種の器具にも同規格ジョイントを長柄に簡単に取り付け出来るので、この長柄を利用して使用出来る器具の範囲が広がった。利用できる器具として立鎌、三角鎌、草削り、ウエーブホー、三角ホー、アメリカルーキー、熊手、トンボ、水切り等。
【図面の簡単な説明】
【図１】Ｓ字型万能長柄の柄の曲がりと接続ジョイントの図である。
【図２】接続ジョイントの断面図である。  イ  メスのジョイント  ロ  オスのジョイント
【図３】オスのジョイントに器具を接続した図である。  Ａ  デッキブラシに接続  Ｂ  三角鎌に接続
【図４】Ｓ字型万能長柄にデッキブラシ器具を接続し使用可能にした完成図である。
【符号の説明】
１  Ｓ字型パイプ柄  ２５φ
２  取手
３  蝶ネジ
イ  メスのジョイント
ロ  オスのジョイント
Ａ  デッキブラシ
Ｂ  三角鎌
【図１】
0003108660.tif 000003
【図２】
0003108660.tif 000004
【図３】
0003108660.tif 000005
【図４】
0003108660.tif 000006
(57)【要約】      （修正有）【課題】実用新案登録第３０８７３６３号の運動器具では二つの課題がある。一つ目は床からの高さで、臥位の運動でも床から離れ過ぎて落下の際に怪我の恐れがある。二つ目はその半球状の形状の為、常に背部が伸展する危険性があり、円滑な身体運動を司る背骨のS字湾曲を維持することは難しい。従って、直径の小さく低密度で弾力性のあるポリエチレン素材の円柱状のポールを、どのような姿勢でも運動できる長さにして使用することで前述の欠点を解決しようとするものである。【解決手段】本考案は、低密度発泡ポリエチレン素材での円柱状のポール１αを直径１０ｃｍ以下にして落下の際に怪我をする危険性を減らし、また、ポールを２本若しくは数本を筏状に繋ぐことにより低密度発泡ポリエチレン素材の持つ弾力性を運動に十分に生かし、運動の体位の制限と安全性の問題を解決している。【選択図】図１
0003108635.tif 000002
【実用新案登録請求の範囲】
【請求項１】
低密度発泡ポリエチレンの合成樹脂素材で直径１０ｃｍ以下の円柱を２本、もしくは数本を筏状に繋いだことを特徴とする体幹の筋力強化、バランス向上トレーニング器具。
【請求項２】
上記筏状の低密度発泡ポリエチレンの合成樹脂素材の円柱の中心が空洞になっていることを特徴とする上記請求項１記載の体幹の筋力強化、バランス向上トレーニング器具。
【請求項３】
上記筏状の低密度発泡ポリエチレンの合成樹脂の円柱は運動、体力レベルに応じ、円柱形を多角柱、花びら型柱に仕上げたことを特徴とする上記請求項１記載の体幹の筋力強化、バランス向上トレーニング器具。
【考案の詳細な説明】
【技術分野】
【０００１】
本考案は、体幹の強化、身体バランス向上を目的とした、直径10ｃｍ以下の低密度発泡ポリエチレンのような合成樹脂素材のポールを２本若しくは数本を筏状に繋いだトレーニング器具に関するものである。
【背景技術】
【０００２】
下記の特許文献１における運動器具は、バランストレーニングの器具として一般に知られてきており、立位、座位、臥位と多種多様なトレーニング方法が紹介されている。その反面、立位ではバランスの保持がとても難しく捻挫に繋がる場合も多く、座位、臥位でも運動する位置が床から離れ過ぎているために、転倒した場合の危険性も指摘されている。
【特許文献１】実用新案登録第３０８７３６３号公報
【考案の開示】
【考案が解決しようとする課題】
【０００３】
実用新案登録第３０８７３６３号の運動器具では床からの高さが大きく、両足での立位の運動ではバランスを失った際に直ぐ支えをとる事は出来なかった。また、臥位の運動でも床から離れ過ぎ落下の際に怪我の恐れがあり、高齢者などの身体運動能力の低い人には危険を伴ってしまう。更に半球状の形状のため常に背部が伸展しきってしまう危険性があり、円滑な身体運動を司る背骨のS字湾曲を維持することは難しかった。従って、直径の小さい低密度ポリエチレン素材の円柱状のポールを、臥位でも運動できる長さにして使用することで前述の欠点を解決しようとするものである。
【課題を解決するための手段】
【０００４】
本考案は、低密度発泡ポリエチレンの弾力性のある合成樹脂素材の円柱状のポールを直径１０ｃｍ以下とし、発泡ポリエチレンポールの持つ弾力性を運動に十分に生かすために、ポールを２本若しくは数本を筏状に繋ぐことにより、運動時における体位の制限と安全性の問題を解決している。
【考案の効果】
【０００５】
上述のように、本考案のトレーニング器具はあらゆる体位での運動が安全に行なえるため、運動能力の低下した高齢者でも手軽に行なえ、健康増進に役立つ。
【考案を実施するための最良の形態】
【０００６】
直径１０ｃｍ以下の低密度発泡ポリエチレンの合成樹脂素材のポールは、上に乗った人の体重でポールが圧縮され、地面に近づくことで落下時の安全性は高まる反面、ポール本体はその弾力性により一層バランスが保ちにくく不安定になる。それを２本、若しくは数本を筏状に繋ぐことにより、地面との接地面が大きくなり、必要な程度の不安定さを残し、１本の細いポールでは難しいポール上の運動をも可能にする。
【実施例】
【０００７】
この発明の一実施形態を図１に示す。
ポールの本体１aは低密度発泡ポリエチレン製であり、この本体１aに同じ長さのポール１bをゴム２bで２aのように数箇所を筏状に繋ぐ。本体１a、１bのポールの直径は１０ｃｍ以下にする。この構成を基本として、低密度発泡ポリエチレン製円柱状ポールの中心を空洞にしたり、円柱状の形状を多角柱、花びら形柱に仕上げることにより、ポリエチレン本体の弾力性を変化させ、様々な身体運動能力レベルに対応ができる。
【図面の簡単な説明】
【０００８】
【図１】本考案の低密度発泡ポリエチレン素材のポールの一実施例を示す図である。
【図２】本健康器具の臥位における一使用例を示す図である。
【図３】本健康器具の立位における一使用例を示す図である。
【符号の説明】
【０００９】
１a  低密度発泡ポリエチレン素材のポール本体
１b  低密度発泡ポリエチレン素材のポール本体
２a  ポールを固定している８の字状のゴム
２b  ８の字状のゴム
３   ポールの直径（１０ｃｍ以下）
【図１】
0003108635.tif 000003
【図２】
0003108635.tif 000004
【図３】
0003108635.tif 000005
(57)【要約】【課題】  本考案が解決しようとする課題は、装身具連結部の簡単な連結と取り外しの他に、自動的に部品を所定の位置に確保する安全性を高めた機能を併せ持つものである。  従来のネックレス等の装身具用連結部は、着脱の為の開口部を操作する部品が小さく指先を痛めるなどの苦情も多く、操作中に落下などの危険もあった。特に身体に障害を持つ人や高齢者には取り扱いが難しく、安全性を保つための操作も煩雑であった。  また、連結部に突起物があるものが多く、デザイン性も貧弱であり、衣服等を傷める物も見受けられた。【解決手段】  本考案では、永久磁石と傾斜した切り欠き溝による突起部の誘導により、当該操作を簡単かつ安全に連結でき、取り外しも容易に出来る構造とした。  また、外形を直線的な形状にすることにより、装身具としてのデザイン性を向上させるとともに、突起物を無くするなど、安全性にも配慮した考案である。【選択図】  図１
0003108632.tif 000002
【実用新案登録請求の範囲】
【請求項１】
装身具の連結部に、突起部を有する部品と、これと対となる受入側の内部に突起部を導くための斜めの切り欠き溝を設け、併せて、連結部に永久磁石を取付けることを特徴とする、成型品。
【請求項２】
請求項１の受入側内部の斜めの切り欠き溝を、１又は複数箇所設ける成型品。
【請求項３】
請求項１または２の受入側内部の斜めの切り欠き溝に、取外れ防止用の釣り針形状を有する成型品。
【請求項４】
請求項１〜３の形状により、水平方向の引抜力に対しては、連結部が取外せない成型品。
【請求項５】
請求項１〜３の形状により、切り欠き溝の開口部方向への回転力により、連結部が容易に取外せる成型品。
【請求項６】
請求項１〜５の構造を持つ、木材・紙材・金属・プラスチックによる成型品。
【考案の詳細な説明】
【技術分野】
【０００１】  本考案は、装身具の連結部の成型方法に関する。
詳しくは、本考案は、装身具の連結部の受け入れ側内部に、少なくとも１箇所の、傾斜した切り欠き溝を設け、これに対応する連結部の突起が、双方の永久磁石の吸引力と傾斜した切り欠き溝に誘導され、連結した後は、受け入れ側の釣り針形状により、水平方向の引き抜き力に対して、取外せない構造の成型品に関する。
【背景技術】
【０００２】  本考案の成型に関しては、直径２ｍｍ〜５ｍｍの極めて小半径成型品の内部に、凸側部品にある突起部を誘導する切り欠き溝を、１又は複数箇所成型するため、極めて高度な成型技術を必要とする。
【考案が解決しようとする課題】
【０００３】  本考案が解決しようとする課題は、手探りで行う、装身具の簡単な連結と取り外しの他に、連結部部品のハズレ、落下を自動的に防止する機能を併せ持つものである。
詳しくは、本考案以前のネックレス等の装身具用連結部は、当該の部品が小さいため装着方法が難しくある程度の習熟を必要とした。また、安全装置を付加するため、更なる部品の追加、或いは操作を必要としたが、本考案では永住磁石と、傾斜した切り欠き溝の突起部の誘導吸着により、簡単な連結と安全性を同時に両立させる考案である。
【考案の効果】
【０００４】  本考案に係る装身具用連結部の成型品は、従来型の連結部構造に比較し、連結と取り外しが容易であり、また直線的な形状であり、連結部に突起物が無く、デザイン性、安全性にも優れている。
【図面の簡単な説明】
【０００５】
【図１】  図１は、本考案の成型品を、部品Ａと部品Ｂとで構成した構造図を示す。
【図１】
0003108632.tif 000003